(57)【要約】      （修正有）【課題】誰もが使えるワープロソフト等のアプリケーションソフトウェアで作成された文書等に、高品位な商品情報の組版デザインを貼り付けることができ、貼り付け後も、この組版デザインを編集できるようにする。【解決手段】商品情報の組版デザインを表す情報を生成する元となる情報を、生成又は編集する機能と、  商品情報の組版デザインを表す情報を生成する元となる情報から、商品情報の組版デザインを表す情報を生成する機能と、  アプリケーションソフトウェアで扱えるデータ形式に、商品情報の組版デザインを表す情報を変換し、かつ、前記データ形式に変換された商品情報の組版デザインを表す情報の実際の表示に影響が無い部分に、この商品情報の組版デザインを表す情報を生成する元となる情報を記載する機能とを有することを特徴とする編集装置。【選択図】図３
2007164571.tif 000002
【特許請求の範囲】
【請求項１】
商品情報の組版デザインを表す情報を生成する元となる情報を、生成又は編集する機能と、
商品情報の組版デザインを表す情報を生成する元となる情報から、商品情報の組版デザインを表す情報を生成する機能と、
アプリケーションソフトウェアで扱えるデータ形式に、商品情報の組版デザインを表す情報を変換し、かつ、前記データ形式に変換された商品情報の組版デザインを表す情報の実際の表示に影響が無い部分に、この商品情報の組版デザインを表す情報を生成する元となる情報を記載する機能とを有することを特徴とする編集装置。
【請求項２】
商品情報の組版デザインを表す情報を生成する元となる情報を、生成又は編集する工程と、
商品情報の組版デザインを表す情報を生成する元となる情報から、商品情報の組版デザインを表す情報を生成する工程と、
アプリケーションソフトウェアで扱えるデータ形式に、商品情報の組版デザインを表す情報を変換し、かつ、前記データ形式に変換された商品情報の組版デザインを表す情報の実際の表示に影響が無い部分に、この商品情報の組版デザインを表す情報を生成する元となる情報を記載する工程とを含むことを特徴とする編集方法。
【請求項３】
商品情報の組版デザインを表す情報を生成する元となる情報を、生成又は編集する機能と、
商品情報の組版デザインを表す情報を生成する元となる情報から、商品情報の組版デザインを表す情報を生成する機能と、
アプリケーションソフトウェアで扱えるデータ形式に、商品情報の組版デザインを表す情報を変換し、かつ、前記データ形式に変換された商品情報の組版デザインを表す情報の実際の表示に影響が無い部分に、この商品情報の組版デザインを表す情報を生成する元となる情報を記載する機能とをコンピュータに実現させることを特徴とする編集プログラム。
【発明の詳細な説明】
【技術分野】
【０００１】
本発明は、商品情報の組版デザインを行う技術に関する。
【背景技術】
【０００２】
従来、既存の提案書作成のためのソフトウェア（例えば非特許文献１参照）は、コンピュータにて、商品情報の組版デザイン等の加工や、レイアウト、印刷等を行える機能を、ひとつの仕組として提供している為、そのソフトウェアを使用するためのスキルが必要であり、使うに至るまでのハードルが高い。
【０００３】
また従来、営業部門などで一般的に使用されているソフトウェアには綺麗な提案書を作るための機能が乏しいか、その機能があっても操作が複雑であった。或は、プログラミングが必要であった。
【０００４】
また従来、既存のワープロソフトで作成された文書に選択した商品情報を貼り付けるソフトウェア（例えば非特許文献２参照）では、貼り付ける体裁やその後の編集等は、そのワープロソフトの機能に依存するため、高品位な組版デザインを実現することは難しい。又、高品位な組版デザインを行って、そのワープロソフトに取り込める形式に変換し貼り付けても、再度編集することができなかった。
【０００５】
また従来、既存のＤＴＰソフトは、それ自体で高品位な組版デザインを編集することが可能だが、その操作に高度なスキルを必要としている。
【０００６】
このように、それぞれのソフトウェアには、それぞれに長所があるが、短所もあり、ソフトウェアを扱うことが不得手な利用者が、高品位な組版デザインを作成したり、編集したりすることは難しい。
【非特許文献１】凸版印刷、“プレゼン博士”、［平成１７年１０月１３日検索］、インターネット＜ＵＲＬ：http://www.purezenhakase.com/＞
【非特許文献２】凸版印刷、“ＭｅｄｉａＰｒｅｓｓ−Ｎｅｔ  ｄｅ  ＰＯＮ！”、［平成１７年１０月１３日検索］、インターネット＜ＵＲＬ：http://www.mediapress-net.com/SITE/download/pon/index.html＞
【発明の開示】
【発明が解決しようとする課題】
【０００７】
本発明は斯かる背景技術に鑑みてなされたもので、誰もが使えるワープロソフト等のアプリケーションソフトウェアで作成された文書等に、高品位な商品情報の組版デザインを貼り付けることができ、貼り付け後も、この組版デザインを編集できるようにすることを課題とする。
【課題を解決するための手段】
【０００８】
本発明において上記課題を達成するために、まず請求項１の発明では、商品情報の組版デザインを表す情報を生成する元となる情報を、生成又は編集する機能と、
商品情報の組版デザインを表す情報を生成する元となる情報から、商品情報の組版デザインを表す情報を生成する機能と、
アプリケーションソフトウェアで扱えるデータ形式に、商品情報の組版デザインを表す情報を変換し、かつ、前記データ形式に変換された商品情報の組版デザインを表す情報の
実際の表示に影響が無い部分に、この商品情報の組版デザインを表す情報を生成する元となる情報を記載する機能とを有することを特徴とする編集装置としたものである。
【０００９】
また請求項２の発明では、商品情報の組版デザインを表す情報を生成する元となる情報を、生成又は編集する工程と、
商品情報の組版デザインを表す情報を生成する元となる情報から、商品情報の組版デザインを表す情報を生成する工程と、
アプリケーションソフトウェアで扱えるデータ形式に、商品情報の組版デザインを表す情報を変換し、かつ、前記データ形式に変換された商品情報の組版デザインを表す情報の実際の表示に影響が無い部分に、この商品情報の組版デザインを表す情報を生成する元となる情報を記載する工程とを含むことを特徴とする編集方法としたものである。
【００１０】
また請求項３の発明では、商品情報の組版デザインを表す情報を生成する元となる情報を、生成又は編集する機能と、
商品情報の組版デザインを表す情報を生成する元となる情報から、商品情報の組版デザインを表す情報を生成する機能と、
アプリケーションソフトウェアで扱えるデータ形式に、商品情報の組版デザインを表す情報を変換し、かつ、前記データ形式に変換された商品情報の組版デザインを表す情報の実際の表示に影響が無い部分に、この商品情報の組版デザインを表す情報を生成する元となる情報を記載する機能とをコンピュータに実現させることを特徴とする編集プログラムとしたものである。
【発明の効果】
【００１１】
本発明は、誰もが使えるワープロソフト等のアプリケーションソフトウェアで作成された文書等に、高品位な商品情報の組版デザインを貼り付けることができ、貼り付け後も、この組版デザインを編集できるという効果がある
【発明を実施するための最良の形態】
【００１２】
以下に、本発明の最良の一実施形態を説明する。
【００１３】
１．オブジェクト
本発明の実施形態では、商品情報の組版デザインを実現するための各種の情報をひとまとめにしてパッケージ化したものを、オブジェクトと呼ぶことにする。
【００１４】
オブジェクトとしてパッケージ化される情報の種類には、図１に示すように、「オブジェクトの構成情報」と、「商品情報」と、「テンプレート情報」と、「関連付け情報」と、「組版デザイン情報」とがある。
【００１５】
「オブジェクトの構成情報」は、「商品情報」、「テンプレート情報」、「関連付け情報」、「組版デザイン情報」が設定されているか否かを管理している情報である。
【００１６】
「商品情報」は、商品固有の情報であって、商品の各画像情報と、品番、品名、価格、税込価格、コメントといった各項目に分かれた商品の各文字情報とからなる。
【００１７】
「テンプレート情報」は、各ボックスのレイアウト情報と体裁情報とからなる。ボックスとは、矩形の枠であって、その中に、文字情報又は画像情報を配置するものである。ボックスのレイアウト情報は、背景や枠線の種類といったボックスそのものの属性に関する情報や、ボックスの大きさや配置位置などに関する情報である。ボックスの体裁情報は、ボックスに配置される文字情報について、文字のサイズ、書体、字送り、行間などの文字組版を行うために設定された情報や、ボックスに配置される画像情報について、画像の変
倍率や切り抜きなどの画像加工を行うために設定された情報である。
【００１８】
「関連付け情報」は、商品の各情報と各ボックスとの対応付け情報と、対応付けルール情報とからなる。対応付け情報とは、商品の各情報と各ボックスとの対応付けによって、商品の各情報を対応付けられた各ボックスに配置することを意味する情報である。対応付けルール情報とは、商品の各情報を対応付けられた各ボックスに配置する際のルールを示す情報であって、例えば、商品の文字情報の場合は、前置文字・後置文字、文字変換、約物統一などの文字加工を、この商品の文字情報をボックスに配置する際に行うことを規定する情報である。
【００１９】
本実施形態では、これら「商品情報」と「テンプレート情報」と「関連付け情報」とが、商品情報の組版デザインを表す情報を生成する元となる情報を、構成している。
【００２０】
「組版デザイン情報」は、上記の「商品情報」と「テンプレート情報」と「関連付け情報」とにより生成された結果として得られた、商品情報の組版デザインを表す情報であって、各ボックスのレイアウト情報と、各文字ボックス情報と、各画像ボックス情報とからなる。文字ボックス情報は、商品の文字情報に対応付けられたボックスの体裁情報と対応付けルール情報とに従って、文字組版が施された商品の文字情報に関する情報である。画像ボックス情報は、商品の画像情報に対応付けられたボックスの体裁情報と対応付けルール情報とに従って、画像変換が施された商品の画像情報に関する情報である。
【００２１】
組版デザイン情報は、ワープロソフト等のアプリケーションソフトウェアで作成される文書等に、この組版デザイン情報が表す商品情報の組版デザインを貼り込むために、ワープロソフト等のアプリケーションソフトウェアで扱えるデータ形式にフォーマット変換されるが、この変換のとき、図２に示すように、フォーマット変換後の組版デザイン情報に、オブジェクトが隠蔽される。ここで隠蔽とは、フォーマット変換後の組版デザイン情報の内で、実際の表示に影響が無い部分（例えば、コメントなど）に、オブジェクトとしてパッケージ化された情報が記載され、このオブジェクトとしてパッケージ化された情報が、ワープロソフト等のアプリケーションソフトウェアにて、表示されないことを云う。
【００２２】
フォーマット変換後の組版デザイン情報にオブジェクトが隠蔽されているために、ワープロソフト等のアプリケーションソフトウェアで作成される文書に、組版デザイン情報で表される商品情報の組版デザインを貼り込んだ後でも、この組版デザイン情報から隠蔽されたオブジェクトを取り出すことで、オブジェクトを再編集できる。尚、上述のように、組版デザイン情報は、商品情報とテンプレート情報と関連付け情報とにより生成されるので、隠蔽されたオブジェクトには、組版デザイン情報がなくても良い。また、オブジェクトの構成情報は、商品情報、テンプレート情報、関連付け情報、組版デザイン情報が設定されているか否かを管理している情報であるので、隠蔽されたオブジェクトには、なくても良い。
【００２３】
以後、ワープロソフト等のアプリケーションで作成される文書等に貼り込むために、このワープロソフト等のアプリケーションで扱えるデータ形式に変換され、オブジェクトが隠蔽されている組版デザイン情報を、貼り込み用組版デザイン情報とも云うことにする。
【００２４】
２．構成
本発明の実施形態に係る装置（以後、本発明装置とも云う）は、コンピュータを利用したシステムであって、図３に示すように、参照先管理ＤＢと、Ｌｏｃａｌ商品情報ＤＢと、Ｌｏｃａｌテンプレート情報ＤＢと、インターフェースと、ユーザ管理部と、商品情報管理部と、Ｎｅｔ商品情報管理部と、Ｌｏｃａｌ商品情報管理部と、商品情報編集部と、テンプレート情報管理部と、Ｎｅｔテンプレート情報管理部と、Ｌｏｃａｌテンプレート
情報管理部と、テンプレート情報編集部と、情報変換部と、組版エンジンと、画像変換エンジンと、フォーマット変換部と、オブジェクト管理部と、オブジェクト取出部とを備え、インターネットを介して商品情報サイト（商品情報ＤＢ）又はテンプレート情報サイト（テンプレート情報ＤＢ）に接続され、また、ワープロソフト等のアプリケーションソフトウェアに接続される。
【００２５】
ワープロソフト等のアプリケーションソフトウェアは、誰にも容易に、提案書を作成するのに利用できるものである。
【００２６】
商品情報サイト（商品情報ＤＢ）は、商品情報を保管しているデータベースである。
【００２７】
テンプレート情報サイト（テンプレート情報ＤＢ）は、テンプレート情報を保管しているデータベースである。
【００２８】
参照先管理ＤＢは、商品情報又はテンプレート情報の参照先に係る情報を保管しているデータベースである。
【００２９】
Ｌｏｃａｌ商品情報ＤＢは、商品情報ＤＢから抽出された商品情報、或は、商品情報編集部で生成／編集された商品情報を保管しているデータベースである。
【００３０】
Ｌｏｃａｌテンプレート情報ＤＢは、テンプレート情報ＤＢから抽出された商品情報、テンプレート情報編集部で生成／編集されたテンプレート情報を保管しているデータベースである。
【００３１】
インターフェースは、本発明装置と、ワープロソフト等のアプリケーションソフトウェアとの間で、貼り込み用組版デザイン情報の遣り取りを仲立する機能を有する。
【００３２】
ユーザ管理部は、本発明装置を利用するユーザを管理する機能を有する。
【００３３】
商品情報管理部は、商品情報の参照先を参照先管理ＤＢより選択し、選択先より商品情報を抽出する機能と、抽出した商品情報又は商品情報編集部で生成／編集された商品情報をオブジェクトに設定する機能とを有する。
【００３４】
Ｎｅｔ商品情報管理部は、商品情報管理部からの命令を受け、インターネットの先にある商品情報サイト（商品情報ＤＢ）にアクセスして、商品情報を検索／選択／抽出する機能を有する。
【００３５】
Ｌｏｃａｌ商品情報管理部は、商品情報管理部からの命令を受け、商品情報ＤＢから抽出した商品情報、又は、商品情報編集部で一度生成／編集された商品情報を再度利用する為に、Ｌｏｃａｌ商品情報ＤＢに登録・管理する機能と、商品情報管理部のリクエストに応じて、Ｌｏｃａｌ商品情報ＤＢより商品情報を検索／選択／抽出する機能とを有する。
【００３６】
商品情報編集部は、商品情報を編集するためのＧＵＩをユーザに提供し、ユーザが、このＧＵＩを利用して、インターネットの先にある商品情報サイト（商品情報ＤＢ）やＬｏｃａｌ商品情報ＤＢから抽出された商品情報を編集したり、或は、新規に、ユーザが行ったＧＵＩからの入力によって商品情報を生成する機能を有する。
【００３７】
テンプレート情報管理部は、テンプレート情報の参照先を参照先ＤＢより選択し、選択先よりテンプレート情報を抽出する機能と、抽出されたテンプレート情報又はテンプレート情報編集部で生成／編集されたテンプレート情報をオブジェクトに設定する機能と、テ
ンプレート情報編集部で生成／編集された関連付け情報をオブジェクトに設定する機能とを有する。
【００３８】
Ｎｅｔテンプレート情報管理部は、テンプレート情報管理部からの命令を受け、インターネットの先にあるテンプレート情報サイト（テンプレート情報ＤＢ）にアクセスして、テンプレート情報を検索／選択／抽出する機能を有する。
【００３９】
Ｌｏｃａｌテンプレート情報管理部は、テンプレート情報管理部からの命令を受け、テンプレート情報ＤＢから抽出した商品情報、又は、テンプレート情報編集部で一度生成／編集されたテンプレート情報を再度利用する為に、Ｌｏｃａｌテンプレート情報ＤＢに登録・管理する機能と、テンプレート情報管理部のリクエストに応じて、Ｌｏｃａｌテンプレート情報ＤＢよりテンプレート情報を検索／選択／抽出する機能とを有する。
【００４０】
テンプレート情報編集部は、テンプレート情報を編集するためのＧＵＩをユーザに提供し、ユーザが、このＧＵＩを利用して、インターネットの先にあるテンプレート情報サイト（テンプレート情報ＤＢ）やＬｏｃａｌテンプレート情報ＤＢから抽出されたテンプレート情報を編集したり、或は、新規に、ユーザが行ったＧＵＩからの入力によってテンプレート情報を生成する機能と、ユーザが、このＧＵＩを利用して、関連付け情報を生成／編集する機能とを有する。
【００４１】
情報変換部は、商品情報とテンプレート情報と関連付け情報とが設定されたオブジェクトから、組版エンジンに文字ボックス情報を生成させ、画像エンジンに画像ボックス情報を生成させることにより、組版デザイン情報を生成して、この組版デザイン情報を、このオブジェクトに設定する機能と、商品情報とテンプレート情報と関連付け情報と組版デザイン情報とが設定されたオブジェクトから、貼り込み用組版デザイン情報を、フォーマット変換部に生成させる機能とを有する。
【００４２】
組版エンジンは、情報変換部からの命令を受け、文字ボックス情報を生成する機能を有する。
【００４３】
画像変換エンジンは、情報変換部からの命令を受け、画像ボックス情報を生成する機能を有する。
【００４４】
フォーマット変換部は、情報変換部からの命令を受け、商品情報とテンプレート情報と関連付け情報と組版デザイン情報とが設定されたオブジェクトから、貼り込み用組版デザイン情報を生成する機能を有する。
【００４５】
オブジェクト管理部は、オブジェクトを管理する機能を有する。
【００４６】
オブジェクト取出部は、貼り込み用組版デザイン情報から、この貼り込み用組版デザイン情報に隠蔽されているオブジェクトを取り出す機能を有する。
【００４７】
３．処理
ここで、オブジェクトの商品情報を生成／編集するために実行される処理の流れの例を、以下のＳＴＥＰ１〜５の順に説明する。
【００４８】
ＳＴＥＰ１；
ユーザは、商品情報管理部にて、他の部より渡されたオブジェクトに対し、商品情報の参照先として、参照先ＤＢより、商品情報ＤＢを選択してＮｅｔ商品情報管理部に処理をリクエストするか、又は、商品情報の参照先として、参照先ＤＢより、Ｌｏｃａｌ商品情
報ＤＢを選択してＬｏｃａｌ商品情報に処理をリクエストするか、或は、商品情報編集部に処理をリクエストする。
【００４９】
ＳＴＥＰ２；
Ｎｅｔ商品情報管理部に処理をリクエストした場合、ユーザは、Ｎｅｔ商品情報管理部にて、商品情報ＤＢにアクセスして、商品情報を検索し、希望する商品情報を選択して抽出し、抽出した商品情報を商品情報管理部に返すか、或は、希望する商品情報に近いものを選択して抽出し、抽出した商品情報を、商品情報編集部にて、希望する商品情報になるように編集し、編集した商品情報を商品情報管理部に返す。
【００５０】
また、Ｌｏｃａｌ商品情報管理部に処理をリクエストした場合、ユーザは、Ｌｏｃａｌ商品情報管理部にて、Ｌｏｃａｌ商品情報ＤＢにアクセスして、商品情報を検索し、希望する商品情報を選択して抽出し、抽出した商品情報を商品情報管理部に返すか、或は、希望する商品情報に近いものを選択して抽出し、抽出した商品情報を、商品情報編集部にて、希望する商品情報になるように編集し、編集した商品情報を商品情報管理部に返す。
【００５１】
また、商品情報編集部に処理をリクエストした場合、ユーザは、商品情報編集部にて、新規に商品情報を生成して、生成した商品情報を商品情報管理部に返す。
【００５２】
ＳＴＥＰ３；
商品情報管理部は、商品情報を受け取って、受け取った商品情報をオブジェクトに設定し、オブジェクトの渡し元（このオブジェクトをＳＴＥＰ１で商品情報管理部に渡した他の部のこと）に返す。
【００５３】
ＳＴＥＰ４；
同時に、商品情報管理部は、Ｌｏｃａｌ商品情報管理部に対して、受け取った商品情報を渡し、Ｌｏｃａｌ商品情報ＤＢに登録のリクエストを行う。
【００５４】
ＳＴＥＰ５；
Ｌｏｃａｌ商品情報管理部は、リクエストに従って、Ｌｏｃａｌ商品情報ＤＢに登録処理を行う。
【００５５】
ここで、オブジェクトのテンプレート情報と関連付け情報とを生成／編集するために実行される処理の流れの例を、以下のＳＴＥＰ１〜７の順に説明する。
【００５６】
ＳＴＥＰ１；
ユーザは、テンプレート情報管理部にて、他の部より渡されたオブジェクトに対し、テンプレート情報の参照先として、参照先ＤＢより、テンプレート情報ＤＢを選択してＮｅｔテンプレート情報管理部に処理をリクエストするか、又は、テンプレート情報の参照先として、参照先ＤＢより、Ｌｏｃａｌテンプレート情報ＤＢを選択してＬｏｃａｌテンプレート情報に処理をリクエストするか、或は、テンプレート情報編集部に処理をリクエストする。
【００５７】
ＳＴＥＰ２；
Ｎｅｔテンプレート情報管理部に処理をリクエストした場合、ユーザは、Ｎｅｔテンプレート情報管理部にて、テンプレート情報ＤＢにアクセスして、テンプレート情報を検索し、希望するテンプレート情報を選択して抽出し、抽出したテンプレート情報をテンプレート情報管理部に返すか、或は、希望するテンプレート情報に近いものを選択して抽出し、抽出したテンプレート情報を、テンプレート情報編集部にて、希望するテンプレート情報になるように編集し、編集したテンプレート情報をテンプレート情報管理部に返す。
【００５８】
また、Ｌｏｃａｌテンプレート情報管理部に処理をリクエストした場合、ユーザは、Ｌｏｃａｌテンプレート情報管理部にて、Ｌｏｃａｌテンプレート情報ＤＢにアクセスして、テンプレート情報を検索し、希望するテンプレート情報を選択して抽出し、抽出したテンプレート情報をテンプレート情報管理部に返すか、或は、希望するテンプレート情報に近いものを選択して抽出し、抽出したテンプレート情報を、テンプレート情報編集部にて、希望するテンプレート情報になるように編集し、編集したテンプレート情報をテンプレート情報管理部に返す。
【００５９】
また、テンプレート情報編集部に処理をリクエストした場合、ユーザは、テンプレート情報編集部にて、新規にテンプレート情報を生成して、生成したテンプレート情報をテンプレート情報管理部に返す。
【００６０】
ＳＴＥＰ３；
テンプレート情報管理部は、テンプレート情報を受け取って、受け取ったテンプレート情報をオブジェクトに設定し、テンプレート情報編集部に処理をリクエストする。
【００６１】
ＳＴＥＰ４；
ユーザは、テンプレート情報編集部にて、関連付け情報を生成又は編集してテンプレート情報管理部に返す。
【００６２】
ＳＴＥＰ５；
テンプレート情報管理部は、関連付け情報を受け取って、受け取った関連付け情報をオブジェクトに設定し、オブジェクトの渡し元（このオブジェクトをＳＴＥＰ１でテンプレート情報管理部に渡した他の部のこと）に返す。
【００６３】
ＳＴＥＰ６；
同時に、テンプレート情報管理部は、Ｌｏｃａｌテンプレート情報管理部に対して、受け取ったテンプレート情報を渡し、Ｌｏｃａｌテンプレート情報ＤＢに登録のリクエストを行う。
【００６４】
ＳＴＥＰ７；
Ｌｏｃａｌテンプレート情報管理部は、リクエストに従って、Ｌｏｃａｌテンプレート情報ＤＢに登録処理を行う。
【００６５】
ここで、オブジェクトの組版デザイン情報を生成するために実行される処理の流れの例を、以下のＳＴＥＰ１〜４の順に説明する。
【００６６】
ＳＴＥＰ１；
情報変換部は、商品情報とテンプレート情報と関連付け情報とが設定されたオブジェクトから、商品の各情報と対応付けられているボックスの体裁情報と対応付けルール情報とを、商品の文字情報については、文字組版エンジンに送って処理をリクエストし、商品の画像情報については、画像変換エンジンに送って処理をリクエストする。
【００６７】
ＳＴＥＰ２；
文字組版エンジンは、商品の各文字情報と対応付けられているボックスの体裁情報と対応付けルール情報とに従って、文字組版が施された商品の各文字情報に関する各文字ボックス情報を生成して情報変換部に返す。
【００６８】
ＳＴＥＰ３；
画像変換エンジンは、商品の各画像情報と対応付けられているボックスの体裁情報と対応付けルール情報とに従って、画像変換が施された商品の各画像情報に関する各画像ボックス情報を生成して情報変換部に返す。
【００６９】
ＳＴＥＰ４；
情報変換部は、各文字ボックス情報と各画像ボックス情報とを受け取って、各ボックスのレイアウト情報に統合して、組版デザイン情報を生成し、この組版デザイン情報をオブジェクトに設定する。
【００７０】
ここで、貼り込み用組版デザイン情報を生成するために実行される処理の流れの例を、以下のＳＴＥＰ１〜４の順に説明する。
【００７１】
ＳＴＥＰ１；
フォーマット変換部は、商品情報とテンプレート情報と関連付け情報と組版デザイン情報とが設定されているオブジェクトを情報変換部から受け取り、この組版デザイン情報を、ベクター情報に展開する。これにより、この組版デザイン情報に対して、対象とするワープロソフト等のアプリケーションソフトウェアが扱えるデータ形式へのフォーマット変換が、行い易くなる。
【００７２】
ＳＴＥＰ２；
フォーマット変換部は、ベクター情報から、対象となるワープロソフト等のアプリケーションソフトウェアが扱えるデータ形式へ、組版デザイン情報をフォーマット変換する。
【００７３】
ＳＴＥＰ３；
フォーマット変換部は、フォーマット変換された組版デザイン情報の内に、実際の表示に影響が無い部分（例えば、コメントなど）に、商品情報と、テンプレート情報と、関連付け情報とを埋め込むことによりオブジェクトを隠蔽して、貼り込み用組版デザイン情報を生成する。
【００７４】
ＳＴＥＰ４；
フォーマット変換部は、貼り込み用組版デザイン情報を情報変換部に返す。
【００７５】
３．付記
本実施形態では、ワープロソフト等のアプリケーションソフトウェアにて、インターフェースを介して、本発明装置を利用することにより、このワープロソフト等のアプリケーションソフトウェアで作成された文書等に、生成した組版デザインを貼り付けることができ、また、貼り付けた組版デザインを編集できる。
【図面の簡単な説明】
【００７６】
【図１】オブジェクトとしてパッケージ化される情報の種類を説明する図。
【図２】貼り込み用組版デザイン情報にオブジェクトが隠蔽されていることを説明する図。
【図３】本発明の実施形態に係る装置の構成例を説明する図。
【図１】
2007164571.tif 000003
【図２】
2007164571.tif 000004
【図３】
2007164571.tif 000005